(57)【特許請求の範囲】
【請求項１】
便器の便座に利用者が着座したり、着座した状態から立ち上がるときの動作を補助する便器用着座補助装置において、
一対の側部材を有し、これら側部材が上記便器の幅方向両側に位置するよう設置される本体と、
各側部材の下端の前端部と後端部とにそれぞれ揺動可能に設けられた前部接地部材及び後部接地部材と、
上記便座が取着されるとともに一対の側部材の前端側上部に前後方向の前端部が回動可能に連結され倒伏方向に回動させることで上記便座が上記便器の上端面に対向位置するフレームと、
このフレームの中途部と上記本体とに連結されたリンク機構と、
上記側部材に回動可能に取付けられるとともに一端が上記リンク機構に連結され回動操作することで上記リンク機構を作動させて上記フレームを上記側部材に連結された前端部を支点として起伏回動させる操作部材と、
一端が上記本体に枢着され他端が上記フレームに枢着されていてこのフレームを前端部を支点として起立方向に付勢したガススプリングと
を具備したことを特徴とする便器用着座補助装置。
【請求項２】
上記前部接地部材と後部接地部材とは、上記側部材に高さ調整可能に設けられているとともに、上記前部接地部材は所定の状態に揺動させた後で、揺動不能に保持可能であることを特徴とする請求項１記載の便器用着座補助装置。
【請求項３】
上記前部接地部材の前端部は、上記フレームの前端部よりも前方に突出していることを特徴とする請求項１記載の便器用着座補助装置。
【請求項４】
上記本体には、この本体の幅方向両側の側部材から幅方向外方へ突出長さの調整可能な棒状部材を有するに突っ張り手段が設けられていることを特徴とする請求項１記載の便器用着座補助装置。
【発明の詳細な説明】
【０００１】
【発明の属する技術分野】
この発明は足腰の筋力が低下した利用者が便器を利用するときに有効な便器用着座補助装置に関する。
【０００２】
【従来の技術】
足腰の筋力が弱っている利用者が排泄する場合、便器の便座に座ったり、立ち上がることが容易でないことがあり、そのような場合には介助者の介助が必要なことがある。
【０００３】
しかしながら、足腰の筋力が弱っている利用者を立ち上がらせたり、座らせるなどの介助は容易でなく、介助者に掛かる負担が大きいから、介助者の負担を軽減することが望まれている。
【０００４】
一般に、便器に設けられた便座は、後端部を支点として便器に回動可能に取付けられ、利用時には便器上にほぼ水平に倒伏した状態で保持されている。そのため、上記便座に着座するとき、利用者は臀部を便座の高さ位置まで深く降ろさなければならないから、その動作が足腰に大きな負担を掛けることになる。
【０００５】
また、利用者が立ち上がるときには、便座に深く降ろした臀部を上げなければならず、しかも脚部を曲げた状態から伸ばさなければならないから、座るとき以上に大きな負担となる。
【０００６】
そこで、本件出願人は特願２０００−３０５１８８号に示す便器用着座補助装置を提案した。この出願の便器用着座補助装置は、本体の前端部上部に、弁座が取付けられたフレームの前端部が回動可能に連結されている。上記本体とフレームとの間にはリンク機構が設けられ、上記フレームはガススプリングによって起立方向に付勢されている。
【０００７】
上記本体には、上記フレームの両側に位置する操作部材としてのハンドルが回動可能に設けられている。このハンドルは上記リンク機構に連結されている。そして、利用者が上記ハンドルを操作することで、利用者が上記便器に着座するときや立ち上がるときに弁座を緩やかに回動させることができるようにしている。
【０００８】
それによって、付勢力の大きなガススプリングを用いなくても、着座時にはハンドルによってフレームの倒伏方向への回動速度を抑制することで緩やかに着座することができ、起立時には同じくハンドルによってフレームの起立方向への回動を助長すれば、利用者は足腰に大きな負担が掛からないように、着座したり、立ち上がることができるというものである。
【０００９】
【発明が解決しようとする課題】
上記構成の便器用着座補助装置によれば、確かに利用者は着座するときや立ち上がるときに足腰に掛かる負担を軽減することができる。しかしなながら、本体にハンドルを設け、このハンドルに荷重を掛けてフレームの回動を緩やかにするため、上記ハンドルを介して本体に比較的大きな荷重が加わることになる。
【００１０】
そのため、本体が床面にがた付くことなく安定した状態で設置されていなければ、利用者が着座したり、立ち上がる際に本体が揺れ動き、安定性が損なわれるということある。
【００１１】
上記便器は床面に固定されている。そこで、上記本体を上記便器に固定することで、利用時に本体ががた付くのを防止することが考えられている。しかしながら、上記便器は陶器製であるから、上記本体を取付け固定することで、利用時に本体を介して大きな荷重が加わると、損傷する虞がある。
【００１２】
この発明は、本体を安定した状態で設置できるようにすることで、利用者が着座したり、立ち上がる際に本体ががたつくことがないようにした便器用着座補助装置を提供することにある。
【００１３】
【課題を解決するための手段】
請求項１の発明は、便器の便座に利用者が着座したり、着座した状態から立ち上がるときの動作を補助する便器用着座補助装置において、
一対の側部材を有し、これら側部材が上記便器の幅方向両側に位置するよう設置される本体と、
各側部材の下端の前端部と後端部とにそれぞれ揺動可能に設けられた前部接地部材及び後部接地部材と、
上記便座が取着されるとともに一対の側部材の前端側上部に前後方向の前端部が回動可能に連結され倒伏方向に回動させることで上記便座が上記便器の上端面に対向位置するフレームと、
このフレームの中途部と上記本体とに連結されたリンク機構と、
上記側部材に回動可能に取付けられるとともに一端が上記リンク機構に連結され回動操作することで上記リンク機構を作動させて上記フレームを上記側部材に連結された前端部を支点として起伏回動させる操作部材と、
一端が上記本体に枢着され他端が上記フレームに枢着されていてこのフレームを前端部を支点として起立方向に付勢したガススプリングと
を具備したことを特徴とする便器用着座補助装置にある。
【００１４】
請求項２の発明は、上記前部接地部材と後部接地部材とは、上記側部材に高さ調整可能に設けられているとともに、上記前部接地部材は所定の状態に揺動させた後で、揺動不能に保持可能であることを特徴とする請求項１記載の便器用着座補助装置にある。
【００１５】
請求項３の発明は、上記前部接地部材の前端部は、上記フレームの前端部よりも前方に突出していることを特徴とする請求項１記載の便器用着座補助装置にある。
【００１６】
請求項４の発明は、上記本体には、この本体の幅方向両側の側部材から幅方向外方へ突出長さの調整可能な棒状部材を有する突っ張り手段が設けられていることを特徴とする請求項１記載の便器用着座補助装置にある。
【００１７】
この発明によれば、本体が設置される床面に傾きや凹凸があっても、本体の一対の側部材の下端の前端部と後端部とにそれぞれ揺動可能に前部接地部材と後部設置部材とを設けたから、これら接地部材が床面に確実に接地し、本体ががた付くのを防止する。
【００１８】
【発明の実施の形態】
以下、この発明の一実施の形態を図面を参照して説明する。
【００１９】
図１はこの発明の便器用着座補助装置の全体の斜視図であって、この装置は本体１を備えている。この本体１は、図１と図２に示すように平行に離間対向した一対の側部材２を有する。この側部材２は、本体１の前後方向に沿う下部水平部３ａ及びこの下部水平部３ａの前端から逆Ｌ字状に立上げられた立上げ部３ｂとがパイプ材によって一体成形されている。一方の側部材２の立上げ部３ｂは上記下部水平部３ａとほぼ同じ長さの上部水平部３ｃを有し、他方の側部材２の立上げ部３ｂは下部水平部３ａのほぼ半分の長さの上部水平部３ｄを有する。
【００２０】
本体１の後端には、帯状部材をＬ字状に曲成した保持部材４の一端が一方の側部材２の下部水平部３ａの後端に連結され、他端が他方の側部材２の上部水平部３ｃの後端に連結されている。
【００２１】
上記保持部材４の中間部は水平部４ａに形成され、この水平部４ａには一対の保持孔４ｂが穿設されている。一対の側部材２の下部水平部３ａと上部水平部３ｄ，３ｃとの間にはそれぞれ帯板状の補強部材５が上下端を固定して設けられている。なお、長尺な上部水平部３ｃを有する一方の側部材２には２本の補強部材５が設けられ、他方の側部材２には１本の補強部材５が設けられている。
【００２２】
各側部材２の下部水平部３ａの前端部と後端部とにはそれぞれ前部接地部材７と後部接地部材８とが高さ調整および揺動可能に設けられている。すなわち、前部接地部材７は、図３に示すように一対の凸部１１が上面側に膨出形成されている。
【００２３】
前部接地部材７の後部側に形成された一方の凸部１１には通孔１２が穿設され、この通孔１２には通孔１２よりも小径な後部ボルト１３ががたのある状態で挿通されている。この後部ボルト１３の下端は上記通孔１２よりも大径にカシメられている。この後部ボルト１３の上記前部接地部材７の上面側に突出したねじ部には第１の高さ調整ナット１４が螺合されている。
【００２４】
上記前部接地部材７に形成された他方の凸部１１の上面には前部ボルト１６が立設されている。この前部ボルト１６には第２の高さ調整ナット１７が螺合されている。
【００２５】
上記側部材２の下部水平部３ａの下面には、上記後部ボルト１３が螺合される第１の取付けナット１８が固着されているとともに、上記前部ボルト１６が挿入される挿入孔１９が形成されている。
【００２６】
それによって、前部接地部材７は、一対の高さ調整ナット１４，１７によって高さ調整可能であり、しかも各ボルト１３，１６が通孔１２と挿入孔１９に対してがたのある状態で挿入されていることで、本体１に対して揺動可能となっている。
【００２７】
側部材２の下端側に取り付けられた前部接地部材７の前端部は、図４に示すように側部材２の下部水平部３ａの前端よりも所定寸法前方に突出している。それによって、本体１は一対の前部接地部材７によって前後方向後端側が上昇して前方へ回動するのが阻止されるようになっている。
【００２８】
また、高さ調整ナット１７を上昇方向に回して下部水平部３ａを支えることで、側部材３が前部接地部材７に対してがた付くのを阻止している。
【００２９】
なお、前部接地部材７の下面には、シート状のゴムなどからなる一対の滑り止め部材２０が貼着されている。
【００３０】
上記後部接地部材８は円盤状をなしていて、その中心部には凸部２１が上面側に膨出形成され、下面には滑り止め部材２２が貼着されている。この凸部２１には通孔２１ａが穿設され、この通孔２１ａには頭部がかしめられたボルト２３ががたのある状態で挿通されている。後部接地部材８の上面側に突出した上記ボルト２３のねじ部には、第３の高さ調整ナット２４が螺合されている。
【００３１】
上記ボルト２３は、上記側部材２の下部水平部３ａの下面に固着された取付けナット２６に螺合されている。それによって、後部接地部材８は第３の高さ調整ナット２４によって高さ調整可能であり、しかもボルト２３が通孔２１ａに対してがたのある状態で挿入されていることで、揺動可能になっている。
【００３２】
したがって、本体１が設置される床面に傾きや凹凸があっても、これらの設置部材７，８が接地箇所の傾きや凹凸に応じて揺動し、確実に接地するから、本体１を床面にがた付くことなく安定した状態で設置することができる。
【００３３】
上記側部材２は第１の高さ調整ナット１４と第３の高さ調整ナット２４で高さ調整することができる。これらナット１４，２４を回して前部接地部材７と後部接地部材８とを上下動させて側部材２の高さを調整した後、第２の高さ調整ナット１７を上昇方向に回して下部水平部３ａを押圧すれば、側部材２に対して前部接地部材７を揺動不能に保持できる。
【００３４】
それによって、前部接地部材７と後部接地部材８とが揺動可能に設けられていても、本体１を床面にがた付くことなく設置することが可能となる。
【００３５】
図１と図２に示すように、一対の側部材２の立上げ部３ｂの頂部近傍には取付け片２７が固着されている。一対の取付け片２７にはフレーム２８の前端部の両端部が回動可能に連結されている。つまり、このフレーム２８は、パイプ材をほぼＵ字状に曲成するとともに、前端部となる両端部が外方に向かってほぼＬ字状の屈曲部２８ａに形成され、その屈曲部２８ａの先端が上記取付け片２７に支軸２９によって枢着されている。
【００３６】
図２に鎖線で示すように、上記フレーム２８には馬蹄形状の保持部材３１が固定され、後端部の外面には一対の取付け孔３２が穿設された取付け板３３が固着されている。上記保持部材３１には図１に示すように便座３４が取付けられ、上記取付け板１３には洗浄器ユニット３５が取付けられている。
【００３７】
上記便座３４は、通常、図１に示す便器４１の上面の後端部に形成された図示しない貫通孔に、同じく図示しないボルトおよびナットによって回動可能に取付け固定されているが、この発明では上記便座３４は便器４１から取り外されて上記フレーム２８に上記保持部材３１を介して取付けられている。なお、便器４１の上端部には水槽４０が一体的に設けられている。
【００３８】
上記便座３４が取り外された便器４１の後端部には、上記保持部材４の水平部４ａが保持される。つまり、水平部４ａに形成された取付け孔４ｂと、便器４１の上面の後端部に形成された貫通孔とに、軸状の弾性部材（図示せず）を通すことで、便器４１に保持部材４を介して本体１が弾性的に保持されている。
【００３９】
つまり、本体１を便器４１に、たとえばボルトなどを用いて固定すると、本体１に外力が加わることで、便器４１を損傷させる虞があるため、本体１は便器４１に上述したように弾性的に保持されている。
【００４０】
図１に示すように、左右一対の側部材２の補強部材５と、上記フレーム２８との間にはリンク機構４５が設けられている。このリンク機構４５は、ハンドル４６によって駆動される。このハンドル４６は筒状の固定部材４６ａと、この固定部材４６ａにスライド可能に設けられたＬ字状のハンドル部材４６ｂとを有する。図４或いは図６に示すように、固定部材４６ａにはブラケット４７が設けられ、このブラケット４７の上端部が上記補強部材５にピン４４によって枢着されている。
【００４１】
上記ハンドル４６のハンドル部材４６ｂは、固定部材４６ａに対して所定のスライド位置で固定できるようになっている。すなわち、図５に示すようにハンドル部材４６ｂの下端部内にはＵ字ばね５１が圧縮状態で収容されている。このＵ字ばね５１の一端部には係合ピン５２が設けられている。この係合ピン５２はハンドル部材４６ｂの下端部周壁に穿設された通孔５３から突出し、上記固定部材４６ａの周壁に高さ方向に沿って所定間隔で形成された複数の係合孔５４の１つに弾性的に係合する。
【００４２】
したがって、係合ピン５２を所定の高さの係合孔５４に係合させることで、ハンドル部材４６ｂを図４に実線で示す高さ位置或いは鎖線で示す高さで保持することができるようになっている。なお、係合孔５４の数に応じてハンドル部材４６ｂの保持高さを変えることができる。
【００４３】
上記ブラケット４７の下端部には可動リンク５６の一端部がピン５７によって枢着されている。この可動リンク５６の一端部には複数、この実施の形態では３つの連結孔５９が所定間隔で穿設され、そのうちの１つに上記ピン５７が挿通されている。
【００４４】
上記フレーム２８の両側中途部には、固定リンク５８の基端部が固着されている。この固定リンク５８の前端は本体１の前方に向かって延出されていて、その前端には上記可動リンク５６の他端が枢着されている。
【００４５】
したがって、上記ハンドル４６を図６実線で示す状態から図７に示すように本体１の前方へ回動倒伏させると、便座３４が設けられたフレーム２８が取付け片２７に連結された前端部を支点としてほぼ水平な状態から起立方向に回動上昇させることができるようになっている。
【００４６】
上記可動リンク５６の一端部に形成された３つの連結孔５９のいずれをブラケット４７の下端部に連結するかによって便座３４がほぼ水平な状態にあるときの、ハンドル４６の前後方向に沿う傾き角度を調整できるようになっている。つまり、ハンドル４６は、図６に示すように実線で示す位置と、鎖線で示すように実線で示す位置の前方と後方とに所定の角度で傾いた位置とに保持できる。
【００４７】
図６に示すようにハンドル４６の前後方向の傾き角度を変えたり、図４に示すように高さを変えることで、利用者の体格などに応じて上記ハンドル４６を操作し易い状態に位置決めすることができる。
【００４８】
また、ハンドル４６のハンドル部材４６ｂを固定部材４６ａから取り外すことができる。そのため、一方のハンドル４６の便座３４の上方に突出したハンドル部材４６ｂを取り外すことで、身体の不自由な利用者、たとえば半身を自由に動かすことができないような利用者の場合、便座３４へ着座し易くすることもできる。また、そのような利用者の場合、どちらか一方のハンドル４６だけしか操作できないから、他方のハンドル４６のハンドル部材４６ｂを取り外しても、操作上の問題はない。
【００４９】
一方の側部材２の水平部３ａにはガススプリング６１の一端が枢着されている。このガススプリング６１の他端は上記フレーム２８の両側の上記固定リンク５８よりも後方に設けられた連結部６２に枢着されており、それによって上記フレーム８は上記ガススプリング６１によって起上方向に付勢されている。
【００５０】
上記連結部６２には図７に示すように複数の取付け孔６３ａ〜６３ｃが上下方向に所定間隔で形成されている。上記ガススプリング６１の他端は３つの取付け孔６３ａ〜６３ｃのいずれか１つに連結される。
【００５１】
上記ガススプリング６１の他端を３つの取付け孔６３ａ〜６３ｃのうちのどれに連結するかによって回動上昇したフレーム２８を倒伏させるときに必要な力を変えることができる。
【００５２】
つまり、ガススプリング６１は、図７に実線で示すようにその他端を最上端の取付け孔６３ａに連結した場合よりも鎖線で示すように最下端の取付け孔６３ｃに連結した場合の方がフレーム２８に対してなす角度が小さくなる。フレーム２８に対するガススプリング６１の傾き角度が小さくなれば、伸長したガススプリング６１がフレーム２８を介して収縮方向に押圧されたとき、収縮方向に作動し難くなるから、フレーム２８を倒伏させるときの抵抗が大きくなる。
【００５３】
つまり、フレーム２８を倒伏方向へ回動させるときの荷重を変えることができる。したがって、利用者の体重などによって便座３４に加わる荷重が変化しても、ガススプリング６１の他端を連結する連結部材６２の取付け孔６３ａ〜６３ｃの位置を変えることで、着座時にフレーム２８（便座３４）が倒伏方向へ回動する速度を調整することができる。
【００５４】
なお、連結部６２に形成される連結孔の数は３つに限られず、２つ或いは４つ以上であってもよいこと勿論である。
【００５５】
図４に示すように、上記可動リンク５６の中途部には先端が鉤状の係合部６４に形成されたストッパ６５の基端部が回動可能に連結されている。このストッパ６５の係合部６４は、上記フレーム２８を起立状態からほぼ水平になるまで倒伏させたときに、上記固定リンク５８の外面に突設された係止ピン６６に係合する。それによって、フレーム２８はガススプリング６１の付勢力に抗してほぼ水平な状態で保持され、起立方向への回動が阻止される。
【００５６】
上記ストッパ６５の中途部外面には操作ピン６７が突設されていて、この操作ピン６７によってストッパ６５を回動させることで、その係合部６４を係止ピン６６に係脱させることができる。
【００５７】
図１、図２或いは図８に示すように、一対の側部材２の下部水平部３ａの前端部には山形状に屈曲された取付け杆７１の両端部が固着されている。この取付け杆７１には突っ張り手段７０が設けられている。この突っ張り手段７０は上記取付け杆７１の頂部に中途部が固着された管状部材７２を有する。この管状部材７２は上記本体１の幅寸法と同等或いはわずかに長尺に形成されていて、その両端部には棒状部材７３が突没可能に設けられている。一対の棒状部材７３は上記管状部材７２の両端部に設けられたストッパねじ７４によって任意の突出長さで固定できるようになっている。
【００５８】
図８に示すように、上記棒状部材７３は先端を便器４１が設置された部屋Ｒの側壁７５に当接するよう突出させて固定される。それによって、本体１が部屋Ｒ内で幅方向にずれ動くのが防止される。
【００５９】
このような構成の便器用着座補助装置を利用する場合について説明する。図９（ｂ）に示すように、利用者Ｕが便座３４に着座する前は、便座３４はガススプリング６１の付勢力によって所定の角度で起立した状態にある。
【００６０】
この状態で利用者Ｕが便座３４に着座する場合、利用者Ｕは図９（ｂ）に示すように後向きになって両手で一対のハンドル４６の先端部を把持し、ついで腰を下ろして臀部を便座３４に当てる。その状態で臀部を徐々に下げれば、その重量によって便座３４が設けられたフレーム２８は、このフレーム２８の下面が便器４１の上面に当接するまでガススプリング６１の付勢力に抗して倒伏方向へ回動する。
【００６１】
したがって、利用者Ｕは便座３４によって臀部が支えられながら着座することができるから、腰や脚部に大きな負担を掛けることなく着座することができる。
【００６２】
しかも、着座時には利用者Ｕが把持したハンドル４６が便座３４の倒伏方向への回動に連動する。そのため、利用者Ｕはハンドル４６に加える力を調整することで、便座３４が倒伏方向へ回動する速度を変えることができるから、利用者Ｕの腰や脚部に負担が掛からないよう、便座３４の倒伏方向への回動速度をさらに緩やかにして着座することもできる。
【００６３】
さらに、利用者Ｕは腰を下ろすときにはハンドル４６を把持しているから、身体がふらつくようなことなくその動作を安定して行うことができる。
【００６４】
便座３４を便器４１の上面に接合する状態まで倒伏させて着座した利用者Ｕが起立する場合には、ハンドル４６の先端部を把持し、体重をハンドル４６の上方へ移動させる。それによって、ハンドル４６の先端部に体重が加わるから、利用者Ｕはハンドル４６を図９（ａ）に矢印で示す方向へ容易に回動させることができる。
【００６５】
ハンドル４６を図９（ａ）に矢印で示す方向へ回動させれば、その回動に便座３４が設けられたフレーム２８がリンク機構４５によって前端側の支軸２９を支点として起立する方向に回動するから、利用者Ｕは臀部が押し上げられることになる。そのとき、フレーム２８にはガススプリング６１の付勢力が加わるから、ハンドル４６を前方へ押す力を軽減することができる。
【００６６】
したがって、利用者Ｕは比較的軽い操作力でハンドル４６を操作することで、臀部を斜め前方に押し上げられることになるから、足腰に大きな負担を掛けることなく立ち上がることができる。このときも、利用者Ｕはハンドル４６を把持しているとともに、臀部に便座３４が当たっているので、足腰の状態が安定するまで身体を確実に保持しておくことができる。
【００６７】
利用者Ｕがハンドル４６を前方へ押圧して起立するとき、本体１には前端側を支点として後端側が上昇するモーメント、つまりハンドル４６の回動方向のモーメントが発生する。しかしながら、本体１に設けられた前部接地部材７は先端部が側部材２の前端から前方に所定寸法突出しているから、その突出した部分によって本体１が前方へ回動するのが阻止される。
【００６８】
前部接地部材７と後部接地部材８とは本体１の側部材２の下端に揺動可能に設けられている。そのため、本体１が設置される部屋Ｒの床面が傾斜したり、凹凸があっても、その状態に応じて揺動し、床面にがた付くことなく接合する。
【００６９】
したがって、利用者Ｕが着座したり、立ち上がるとき、ハンドル４６を把持して本体１に力を加えても、この本体１が床面上でがた付くことがないから、利用者Ｕは安定したた状態で着座したり、立ち上がることができる。
【００７０】
しかも、部屋Ｒに設置された本体１は、突っ張り手段７０の棒状部材７３が側壁７５に当接した状態で固定されている。そのため、本体１に外力が加わっても、この本体１が部屋Ｒ内で幅方向や前後方向に動き難いため、そのことによっても利用者Ｕは安定した状態で着座したり、立ち上がることができる。
【００７１】
ハンドル４６は高さ調整や前後方向の傾き角度の調整ができるようになっている。そのため、利用者Ｕの体格などに応じて上記ハンドル４６の高さや傾き角度を調整することで、利用し易い状態にすることができる。つまり、利用者Ｕに掛かる肉体的な負担を少なくすることができる。
【００７２】
ハンドル４６は固定部材４６ａとハンドル部材４６ｂとからなり、ハンドル部材４６ｂは固定部材４６ａから取り外すことができる。そのため、一対のハンドル４６のうち、一方のハンドル４６のハンドル部材４６ｂを取り外せば、便座３４の幅方向一側が開放されるから、利用者Ｕは便座３４の幅方向一側から便座３４に着座したり、立ち上がることができる。
【００７３】
たとえば、身体の半身が不自由な利用者Ｕなどの場合、着座時や立ち上がり時に一方のハンドル部材４６ｂに身体をぶつけてしまうようなことがあるが、上述したように一方のハンドル部材４６ｂを取り外すことで、身体をハンドル部材４６ｂにぶつけることなく、容易に立ち上がったり、着座することができる。
【００７４】
便座３４が設けられたフレーム２８を起立方向に付勢したガススプリング６１は、フレーム２８に対する角度を変えてこのフレーム２８に設けられた連結部６２の取付け孔６３に取付けることができる。
【００７５】
ガススプリング６１のフレーム２８に対する取り付け角度を変えることで、着座時にフレーム２８を倒伏方向へ回動させるのに必要な最小荷重を変えることができる。つまり、ガススプリング６１を連結部６２の下端の取付け孔６３ｃに連結することで、フレーム２８に対してガススプリング６１のなす角度を小さくすれば、フレーム２８を倒伏させるのに要する最小荷重が大きくなる。
【００７６】
たとえば、体重の重い利用者Ｕの場合には、フレーム３４を倒伏させるのに要する荷重が大きくなるよう、連結部６２の最下端の取付け孔６３ｃに対するガススプリング６１を連結する。それによって、体重の重い利用者Ｕが着座するとき、フレーム３４の倒伏方向への回動速度を緩やかにできるから、利用者Ｕは足腰に急激な負担が掛かることなく着座することができる。
【００７７】
逆に、体重の軽い利用者Ｕの場合には、フレーム３４を倒伏させるに要する荷重が少なくなるよう、ガススプリング６１をフレーム３４の連結部６２の最上段の取付け孔６３ａに連結する。それによって、利用者Ｕは便座３４に臀部を強く押圧せずにフレーム３４を倒伏させることができるから、比較的容易に、しかも臀部に負担をかけることなく着座することができる。たとえば、利用者Ｕの臀部に辱瘡があるような場合、臀部が圧迫されて不快感や苦痛を感じるのを軽減することができる。
【００７８】
上記ガスプリング６１の他端が連結部６２の下端の取付け孔６３に連結されていると、上端の取付け孔６２に連結した場合に比べて倒伏状態にあるフレーム２８を起立方向へ回動させるためのモーメントが大きくなる。
【００７９】
そのため、ガススプリング６１を、連結部６２の最下端の取付け孔６３ｃに連結することで、体重の重い利用者Ｕの場合であっても、利用者Ｕの臀部を確実に押し上げることが可能となる。
【００８０】
逆に、体重の軽い利用者Ｕの場合には、連結部６２の最上端の取付け孔６３ａにガススプリング６１を連結する。それによって、倒伏したフレーム２８に作用するモーメントが小さくなるから、利用者Ｕの臀部を強く押し上げるのを防止できる。
【００８１】
すなわち、フレーム２８に対するガススプリング６１の取付け角度を変えることで、利用者Ｕの体重が変わっても、着座する場合や起立する場合のフレーム２８の回動速度が大きく変化するのを防止することができる。
【００８２】
この発明は上記一実施の形態に限定されるものでなく、種々変形可能である。たとえば、上記一実施の形態ではハンドルを前方へ押すことで便座を倒伏状態から起立状態へ回動させるようにしたが、リンク機構の構造を変えれば、上記ハンドルを引くことで便座を起立方向へ回動させるようにしてもよい。
【００８３】
【発明の効果】
この発明によれば、本体の一対の側部材の下端の前端部と後端部とにそれぞれ前部接地部材と後部設置部材とを揺動可能に設けた。
【００８４】
そのため、本体が設置される床面に傾きや凹凸があっても、その傾きや凹凸に応じて前部接地部材と後部設置部材とが揺動して床面に確実に接地し、利用者が着座したり、立ち上がるときに本体ががた付くのを防止するから、利用者は安定した状態で、しかも安全に利用することができる。
【図面の簡単な説明】
【図１】この発明の一実施の形態を示す全体構成の斜視図。
【図２】フレームから便座を取り外した本体の斜視図。
【図３】前部接地部材と後部接地部材との取付け構造を示す断面図。
【図４】ハンドルの高さを調整する状態を示した本体の側面図。
【図５】ハンドルの一部分の断面図。
【図６】ハンドルの前後方向の傾きを調整する状態を示した本体の側面図。
【図７】フレームに対するガススプリングの取付け角度を調整する状態を示した本体の側面図。
【図８】本体を便器のある部屋に設置した状態の正面図。
【図９】（ａ）は利用者が便座に着座している状態の説明図、（ｂ）は利用者が立ち上がっている状態の説明図。
【符号の説明】
１…本体
７…前部接地部材
８…後部接地部材
２８…フレーム
３４…便座
４１…便器
４５…リンク機構
４６…ハンドル（操作部材）
６１…ガススプリング
【図１】
0004509416.tif 000002
【図２】
0004509416.tif 000003
【図３】
0004509416.tif 000004
【図４】
0004509416.tif 000005
【図５】
0004509416.tif 000006
【図６】
0004509416.tif 000007
【図７】
0004509416.tif 000008
【図８】
0004509416.tif 000009
【図９】
0004509416.tif 000010